(57)【要約】      （修正有）【課題】保管時や運搬時には扁平状に折り畳んでスペースを小さくすることができ、また、使用時の組み立てが簡単なディスプレイ用具を提供する。【解決手段】ディスプレイ用具を構成する背板１０ｂ、左右の側板２０ａ、２０ｂ；２１ａ、２１ｂ、底板３０、前板４０ａ及び棚板４１、４２を１枚のブランク材から形成した。ディスプレイ用具の使用時には、背板１０ｂ、左右の側板２０ａ、２０ｂ；２１ａ、２１ｂ、底板３０及び前板４０ａが二重壁構造となるように構成したので、ディスプレイ用具の剛性が向上されて重量のある商品でも安定させた状態で展示することができる。また、ディスプレイ用具の保管や運搬時には、扁平状に折り畳めるように構成したので取り扱いが容易となる。【選択図】図１
0003142514.tif 000002
【実用新案登録請求の範囲】
【請求項１】
背板、左右の側板、底板、前板及び棚板を有するディスプレイ用具であって、背板、左右の側板、底板及び前板を二重壁構造としたことを特徴とするディスプレイ用具。
【請求項２】
背板及び左右の側板を貼着した二重壁構造としたことを特徴とする請求項１に記載のディスプレイ用具。
【請求項３】
下棚板及び上棚板を有する階段状の棚板を備えることを特徴とする請求項１または２に記載のディスプレイ用具。
【請求項４】
棚部前板、上棚板、棚部背板及び棚部底板により四角筒状の構造体を構成することを特徴とする請求項３に記載のディスプレイ用具。
【請求項５】
前板を構成する外前板と内前板、内前板と下棚板、下棚板と構造体が連設して形成されていることを特徴とする請求項４に記載のディスプレイ用具。
【請求項６】
背板、左右の側板、底板、前板及び棚板を１枚のブランク材から構成したことを特徴とする請求項１〜５のいずれかに記載のディスプレイ用具。
【請求項７】
ブランク材が図６の形状であることを特徴とする請求項６に記載のディスプレイ用具。
【請求項８】
ブランク材が図７の形状であることを特徴とする請求項６に記載のディスプレイ用具。
【請求項９】
ブランク材が図１４の形状であることを特徴とする請求項６に記載のディスプレイ用具。
【請求項１０】
ブランク材が図１５の形状であることを特徴とする請求項６に記載のディスプレイ用具。
【請求項１１】
扁平状に折り畳み自在に構成したことを特徴とする請求項１〜１０のいずれかに記載のディスプレイ用具。
【請求項１２】
上棚板の後縁部に差込片を備え、該差込片を背板の差込孔に差し込むように構成したことを特徴とする請求項３〜１１のいずれかに記載のディスプレイ用具。
【請求項１３】
上棚板の前縁部に商品の移動を防止する移動防止板を備えることを特徴とする請求項３〜１２のいずれかに記載のディスプレイ用具。
【請求項１４】
移動防止板は広告表示板であることを特徴とする請求項１３に記載のディスプレイ用具。
【請求項１５】
移動防止板はディスプレイ用具を組み立てる際に利用する組立用操作部であることを特徴とする請求項１３または１４に記載のディスプレイ用具。
【請求項１６】
移動防止板はディスプレイ用具を折り畳む際に利用する折畳用操作部であることを特徴とする請求項１３または１４に記載のディスプレイ用具。
【請求項１７】
背板（１０ａ、１０ｂ）、左右の側板（２０ａ、２０ｂ、２１ａ、２１ｂ）、底板（３０）、前板（４０ａ、４０ｂ）及び棚板（４１、４２）を有するディスプレイ用具であって、
図６に示す形状の１枚のブランク材から背板、左右の側板、底板、前板及び棚板を組み立てたとき、背板、左右の側板、底板及び前板が二重壁構造を形成し且つ背板及び左右の側板は貼着した二重壁構造とされ、
下棚板（４１）及び上棚板（４２）を有する階段状の棚板（４１、４２）を備え、棚部前板（４４ａ、４４ｂ）、上棚板（４２）、棚部背板（４６）及び棚部底板（４７）により四角筒状の構造体（４２、４４ａ、４４ｂ、４６、４７）が構成され、
前板を構成する外前板（４０ａ）と内前板（４０ｂ）、内前板（４０ｂ）と下棚板（４１）、下棚板（４１）と構造体（４２、４４ａ、４４ｂ、４６、４７）が連設して形成され、
上棚板（４２）の後縁部に差込片（４３）を備え、該差込片（４３）は背板（１０ｂ）の差込孔（１１）に差し込むように構成され、
上棚板（４２）の前縁部に商品の移動を防止する移動防止板（４５）を備える、ことを特徴とするディスプレイ用具。
【請求項１８】
背板（１０ａ、１０ｂ）、左右の側板（２０ａ、２０ｂ、２１ａ、２１ｂ）、底板（３０）、前板（４０ａ、４０ｂ）及び棚板（４１、４２）を有するディスプレイ用具であって、
図７に示す形状の１枚のブランク材から背板、左右の側板、底板、前板及び棚板を組み立てたとき、背板、左右の側板、底板及び前板が二重壁構造を形成し且つ背板及び左右の側板は貼着した二重壁構造とされ、
下棚板（４１）及び上棚板（４２）を有する階段状の棚板（４１、４２）を備え、棚部前板（４４ａ、４４ｂ）、上棚板（４２）、棚部背板（４６）及び棚部底板（４７）により四角筒状の構造体（４２、４４ａ、４４ｂ、４６、４７）が構成され、
前板を構成する外前板（４０ａ）と内前板（４０ｂ）、内前板（４０ｂ）と下棚板（４１）、下棚板（４１）と構造体（４２、４４ａ、４４ｂ、４６、４７）が連設して形成され、
上棚板（４２）の後縁部に差込片（４３）を備え、該差込片（４３）は背板（１０ｂ）の差込孔（１１ｂ）に差し込むように構成され、
上棚板（４２）の前縁部に商品の移動を防止する移動防止板（４５）を備える、ことを特徴とするディスプレイ用具。
【請求項１９】
背板（１０ａ、１０ｂ）、左右の側板（２０ａ、２０ｂ、２１ａ、２１ｂ）、底板（３０）、前板（４０ａ、４０ｂ）及び棚板（４１、４２）を有するディスプレイ用具であって、
図１４に示す形状の１枚のブランク材から背板、左右の側板、底板、前板及び棚板を組み立てたとき、背板、左右の側板、底板及び前板が二重壁構造を形成し且つ背板及び左右の側板は貼着した二重壁構造とされ、
下棚板（４１）及び上棚板（４２）を有する階段状の棚板（４１、４２）を備え、棚部前板（４４ａ、４４ｂ）、上棚板（４２）、棚部背板（４６）及び棚部底板（４７）により四角筒状の構造体（４２、４４ａ、４４ｂ、４６、４７）が構成され、
前板を構成する外前板（４０ａ）と内前板（４０ｂ）、内前板（４０ｂ）と下棚板（４１）、下棚板（４１）と構造体（４２、４４ａ、４４ｂ、４６、４７）が連設して形成され、
上棚板（４２）の後縁部に差込片（４３）を備え、該差込片（４３）は背板（１０ａ、１０ｂ）の差込孔（１１ａ、１１ｂ）に差し込むように構成され、
上棚板（４２）の前縁部に商品の移動を防止する移動防止板（４５）を備える、ことを特徴とするディスプレイ用具。
【請求項２０】
背板（１０ａ、１０ｂ）、左右の側板（２０ａ、２０ｂ、２１ａ、２１ｂ）、底板（３０）、前板（４０ａ、４０ｂ）及び棚板（４１、４２）を有するディスプレイ用具であって、
図１５に示す形状の１枚のブランク材から背板、左右の側板、底板、前板及び棚板を組み立てたとき、背板、左右の側板、底板及び前板が二重壁構造を形成し且つ背板及び左右の側板は貼着した二重壁構造とされ、
下棚板（４１）及び上棚板（４２）を有する階段状の棚板（４１、４２）を備え、棚部前板（４４ａ、４４ｂ）、上棚板（４２）、棚部背板（４６）及び棚部底板（４７）により四角筒状の構造体（４２、４４ａ、４４ｂ、４６、４７）が構成され、
前板を構成する外前板（４０ａ）と内前板（４０ｂ）、内前板（４０ａ）と下棚板（４１）、下棚板（４１）と構造体（４２、４４ａ、４４ｂ、４６、４７）が連設して形成され、
上棚板（４２）の前縁部に商品の移動を防止する移動防止板（４５）を備える、ことを特徴とするディスプレイ用具。
【考案の詳細な説明】
【技術分野】
【０００１】
本考案は、各種商品を収納して展示・販売することができるディスプレイ用具に関し、特に、保管時や運搬時には扁平状に折り畳むことができ、また、使用時には、店頭の棚などに載置した形態で使用できるようにしたディスプレイ用具に関する。
【背景技術】
【０００２】
従来から、各種の商品など収容して店頭などに設置できるディスプレイ用具として、非使用時には扁平状に折り畳むことができると共に、使用時には、簡単に組み立てて、店頭の棚などの上に載置した形態で使用できるディスプレイ用具が開発され、実用化されている。
【０００３】
折り畳み自在のディスプレイ用具として、特許文献１には、背板に対して外形が階段状の左右側板を折畳自在に一体的に連設し、各段差部分には正面板の左右が折曲自在に取付けられ、正面板の背面には正面板に添わせて直立できるように折曲自在であって商品が展示できる床板が取付けられ、床板の後縁の舌片は一段上の背板または正面板の係止孔に係合できるように構成され、正面板と側板または背板とのなす角隅稜線またはそれらの延長方法の側板に折曲線を設けて背板方向に向かって扁平に折畳自在なディスプレー用棚枠が開示されている。
【特許文献１】実公平４−７６１号公報
【考案の開示】
【考案が解決しようとする課題】
【０００４】
特許文献１のディスプレー用棚枠は、使用時には、商品を階段状に展示するように組み立てることができると共に、輸送時には扁平に折り畳んで、輸送スペースを小さくすることができるが、背板、正面板、床板などを別個の部材から構成しているため、各部材を接続するための差込箇所や糊付箇所が多くなってしまい製造上も不利である。そのため、ディスプレー用棚枠を扁平に折り畳んで輸送や保管スペースを小さくすることができるが、ディスプレー用棚枠を使用して商品を展示する際には、差込箇所や糊付箇所が多いために組み立てが煩雑となってしまう。また、差込箇所や糊付箇所が多いために、棚枠の強度が低下して、重量のある商品を展示することが困難となってしまうおそれがある。
【０００５】
本考案は、上述したような従来の事情に鑑みてなされたものであり、全体が二重壁構造になっていることから頑丈で、重量のある商品でも安定させた状態で展示することができるように改善されており、また、１枚のブランク材から組み立てられることから保管時や運搬時には扁平状に折り畳んでスペースを小さくすることができ、また、使用時の組み立てが簡単なディスプレイ用具を提供することを目的とする。
【課題を解決するための手段】
【０００６】
上記課題を達成するために、請求項１に記載のディスプレイ用具に係る考案は、背板、左右の側板、底板、前板及び棚板を有するディスプレイ用具であって、背板、左右の側板、底板及び前板を二重壁構造としたことを特徴とする。
【０００７】
また、上記課題を達成するために、請求項２に記載のディスプレイ用具に係る考案は、請求項１に記載の考案において、背板及び左右の側板を貼着した二重壁構造としたことを特徴とする。
【０００８】
さらに、上記課題を達成するために、請求項３に記載のディスプレイ用具に係る考案は、請求項１または２に記載の考案において、下棚板及び上棚板を有する階段状の棚板を備えることを特徴とする。
【０００９】
さらに、上記課題を達成するために、請求項４に記載のディスプレイ用具に係る考案は、請求項３に記載の考案において、棚部前板、上棚板、棚部背板及び棚部底板により四角筒状の構造体を構成することを特徴とする。
【００１０】
さらに、上記課題を達成するために、請求項５に記載のディスプレイ用具に係る考案は、請求項４に記載の考案において、前板を構成する外前板と内前板、内前板と下棚板、下棚板と構造体が連設して形成されていることを特徴とする。
【００１１】
さらに、上記課題を達成するために、請求項６に記載のディスプレイ用具に係る考案は、請求項１〜５のいずれかに記載の考案において、背板、左右の側板、底板、前板及び棚板を１枚のブランク材から構成したことを特徴とする。
【００１２】
さらに、上記課題を達成するために、請求項７に記載のディスプレイ用具に係る考案は、請求項６に記載の考案において、ブランク材が図６の形状であることを特徴とする。
【００１３】
さらに、上記課題を達成するために、請求項８に記載のディスプレイ用具に係る考案は、請求項６に記載の考案において、ブランク材が図７の形状であることを特徴とする。
【００１４】
さらに、上記課題を達成するために、請求項９に記載のディスプレイ用具に係る考案は、請求項６に記載の考案において、ブランク材が図１４の形状であることを特徴とする。
【００１５】
さらに、上記課題を達成するために、請求項１０に記載のディスプレイ用具に係る考案は、請求項６に記載の考案において、ブランク材が図１５の形状であることを特徴とする
【００１６】
さらに、上記課題を達成するために、請求項１１に記載のディスプレイ用具に係る考案は、請求項１〜１０のいずれかに記載の考案において、扁平状に折り畳み自在に構成したことを特徴とする。
【００１７】
さらに、上記課題を達成するために、請求項１２に記載のディスプレイ用具に係る考案は、請求項３〜１１のいずれかに記載の考案において、上棚板の後縁部に差込片を備え、該差込片を背板の差込孔に差し込むように構成したことを特徴とする。
【００１８】
さらに、上記課題を達成するために、請求項１３に記載のディスプレイ用具に係る考案は、請求項３〜１２のいずれかに記載の考案において、上棚板の前縁部に商品の移動を防止する移動防止板を備えることを特徴とする。
【００１９】
さらに、上記課題を達成するために、請求項１４に記載のディスプレイ用具に係る考案は、請求項１３に記載の考案において、移動防止板は広告表示板であることを特徴とする。
【００２０】
さらに、上記課題を達成するために、請求項１５に記載のディスプレイ用具に係る考案は、請求項１３または１４に記載の考案において、移動防止板はディスプレイ用具を組み立てる際に利用する組立用操作部であることを特徴とする。
【００２１】
さらに、上記課題を達成するために、請求項１６に記載のディスプレイ用具に係る考案は、請求項１３または１４に記載の考案において、移動防止板はディスプレイ用具を折り畳む際に利用する折畳用操作部であることを特徴とする。
【００２２】
さらに、上記課題を達成するために、請求項１７に記載のディスプレイ用具に係る考案は、背板（１０ａ、１０ｂ）、左右の側板（２０ａ、２０ｂ、２１ａ、２１ｂ）、底板（３０）、前板（４０ａ、４０ｂ）及び棚板（４１、４２）を有するディスプレイ用具であって、図６に示す形状の１枚のブランク材から背板、左右の側板、底板、前板及び棚板を組み立てたとき、背板、左右の側板、底板及び前板が二重壁構造を形成し且つ背板及び左右の側板は貼着した二重壁構造とされ、下棚板（４１）及び上棚板（４２）を有する階段状の棚板（４１、４２）を備え、棚部前板（４４ａ、４４ｂ）、上棚板（４２）、棚部背板（４６）及び棚部底板（４７）により四角筒状の構造体（４２、４４ａ、４４ｂ、４６、４７）が構成され、前板を構成する外前板（４０ａ）と内前板（４０ｂ）、内前板（４０ｂ）と下棚板（４１）、下棚板（４１）と構造体（４２、４４ａ、４４ｂ、４６、４７）が連設して形成され、上棚板（４２）の後縁部に差込片（４３）を備え、該差込片（４３）は背板（１０ｂ）の差込孔（１１）に差し込むように構成され、上棚板（４２）の前縁部に商品の移動を防止する移動防止板（４５）を備える、ことを特徴とする。
【００２３】
さらに、上記課題を達成するために、請求項１８に記載のディスプレイ用具に係る考案は、背板（１０ａ、１０ｂ）、左右の側板（２０ａ、２０ｂ、２１ａ、２１ｂ）、底板（３０）、前板（４０ａ、４０ｂ）及び棚板（４１、４２）を有するディスプレイ用具であって、図７に示す形状の１枚のブランク材から背板、左右の側板、底板、前板及び棚板を組み立てたとき、背板、左右の側板、底板及び前板が二重壁構造を形成し且つ背板及び左右の側板は貼着した二重壁構造とされ、下棚板（４１）及び上棚板（４２）を有する階段状の棚板（４１、４２）を備え、棚部前板（４４ａ、４４ｂ）、上棚板（４２）、棚部背板（４６）及び棚部底板（４７）により四角筒状の構造体（４２、４４ａ、４４ｂ、４６、４７）が構成され、前板を構成する外前板（４０ａ）と内前板（４０ｂ）、内前板（４０ｂ）と下棚板（４１）、下棚板（４１）と構造体（４２、４４ａ、４４ｂ、４６、４７）が連設して形成され、上棚板（４２）の後縁部に差込片（４３）を備え、該差込片（４３）は背板（１０ｂ）の差込孔（１１ｂ）に差し込むように構成され、上棚板（４２）の前縁部に商品の移動を防止する移動防止板（４５）を備える、ことを特徴とする。
【００２４】
さらに、上記課題を達成するために、請求項１９に記載のディスプレイ用具に係る考案は、背板（１０ａ、１０ｂ）、左右の側板（２０ａ、２０ｂ、２１ａ、２１ｂ）、底板（３０）、前板（４０ａ、４０ｂ）及び棚板（４１、４２）を有するディスプレイ用具であって、図１４に示す形状の１枚のブランク材から背板、左右の側板、底板、前板及び棚板を組み立てたとき、背板、左右の側板、底板及び前板が二重壁構造を形成し且つ背板及び左右の側板は貼着した二重壁構造とされ、下棚板（４１）及び上棚板（４２）を有する階段状の棚板（４１、４２）を備え、棚部前板（４４ａ、４４ｂ）、上棚板（４２）、棚部背板（４６）及び棚部底板（４７）により四角筒状の構造体（４２、４４ａ、４４ｂ、４６、４７）が構成され、前板を構成する外前板（４０ａ）と内前板（４０ｂ）、内前板（４０ｂ）と下棚板（４１）、下棚板（４１）と構造体（４２、４４ａ、４４ｂ、４６、４７）が連設して形成され、上棚板（４２）の後縁部に差込片（４３）を備え、該差込片（４３）は背板（１０ａ、１０ｂ）の差込孔（１１ａ、１１ｂ）に差し込むように構成され、上棚板（４２）の前縁部に商品の移動を防止する移動防止板（４５）を備える、ことを特徴とする。
【００２５】
さらに、上記課題を達成するために、請求項２０に記載のディスプレイ用具に係る考案は、背板（１０ａ、１０ｂ）、左右の側板（２０ａ、２０ｂ、２１ａ、２１ｂ）、底板（３０）、前板（４０ａ、４０ｂ）及び棚板（４１、４２）を有するディスプレイ用具であって、図１５に示す形状の１枚のブランク材から背板、左右の側板、底板、前板及び棚板を組み立てたとき、背板、左右の側板、底板及び前板が二重壁構造を形成し且つ背板及び左右の側板は貼着した二重壁構造とされ、下棚板（４１）及び上棚板（４２）を有する階段状の棚板（４１、４２）を備え、棚部前板（４４ａ、４４ｂ）、上棚板（４２）、棚部背板（４６）及び棚部底板（４７）により四角筒状の構造体（４２、４４ａ、４４ｂ、４６、４７）が構成され、前板を構成する外前板（４０ａ）と内前板（４０ｂ）、内前板（４０ａ）と下棚板（４１）、下棚板（４１）と構造体（４２、４４ａ、４４ｂ、４６、４７）が連設して形成され、上棚板（４２）の前縁部に商品の移動を防止する移動防止板（４５）を備える、ことを特徴とする。
【００２６】
本考案は、基本的には以上の事項を特徴とするものであるが、同一形状の背板、左右の側板、底板、前板を３枚または４枚とすることにより、３重壁構造または４重壁構造としてさらに剛性を向上させることもできる。また、同一形状の２枚の棚板を連設することにより、棚板も２重壁構造として剛性をさらに向上させることもできる。
【考案の効果】
【００２７】
請求項１に記載のディスプレイ用具に係る考案によれば、ディスプレイ用具の背板、左右の側板、底板及び前板を二重壁構造としたので、背板、左右の側板、底板及び前板が二重重ね構造となり、ディスプレイ用具の全体の剛性が向上して、重量のある商品でも安定させた状態で展示することができる。
【００２８】
また、請求項２記載のディスプレイ用具に係る考案によれば、請求項１の効果に加えて、背板及び左右の側板を接着した二重壁構造としたので、ディスプレイ用具の全体の剛性をさらに向上させることができる。
【００２９】
さらに、請求項３記載のディスプレイ用具に係る考案によれば、請求項１または２の効果に加えて、下棚板及び上棚板を有する階段状の棚板を備えるので、多数の商品を展示することができると共に、展示効果を向上させることができる。
【００３０】
さらに、請求項４記載のディスプレイ用具に係る考案によれば、請求項３の効果に加えて、棚部前板、上棚板、棚部背板及び棚部底板により四角筒状の構造体を構成したので、上棚板の剛性を向上させることができる。
【００３１】
さらに、請求項５記載のディスプレイ用具に係る考案によれば、請求項４の効果に加えて、前板を構成する外前板と内前板、内前板と下棚板、下棚板と構造体が連設して形成されているので、外前板と内前板、下棚板と底板、並びに棚部底板と底板を接着することなしに安定した二重構造とすることができる。
【００３２】
さらに、請求項６に記載のディスプレイ用具に係る考案によれば、請求項１〜５のいずれかの効果に加えて、背板、左右の側板、底板、前板及び棚板を１枚のブランク材から構成したので、ディスプレイ用具の素形材の成形加工が容易となり、また、ディスプレイ用具の組立が容易となる。
【００３３】
さらに、請求項７記載のディスプレイ用具に係る考案によれば、請求項６の効果に加えて、ブランク材を図６の形状にしたので、背板折込片と差込孔を形成した背板を備えたディスプレイ用具の素形材を簡単に成形加工することができる。
【００３４】
さらに、請求項８記載のディスプレイ用具に係る考案によれば、請求項６の効果に加えて、ブランク材を図７の形状にしたので、差込孔を形成した背板を備えたディスプレイ用具の素形材を簡単に成形加工することができる。
【００３５】
さらに、請求項９記載のディスプレイ用具に係る考案によれば、請求項６の効果に加えて、ブランク材を図１４の形状にしたので、差込孔を形成した背板を備えたディスプレイ用具の素形材を簡単に成形加工することができる。
【００３６】
さらに、請求項１０記載のディスプレイ用具に係る考案によれば、請求項６の効果に加えて、ブランク材を図１５の形状にしたので、背板の成形加工を簡素化したディスプレイ用具の素形材を簡単に成形加工することができる。
【００３７】
さらに、請求項１１に記載のディスプレイ用具に係る考案によれば、請求項１〜１０のいずれかの効果に加えて、扁平状に折り畳み自在に構成したので、ディスプレイ用具の保管時や輸送時の取り扱いが容易となる。
【００３８】
さらに、請求項１２に記載のディスプレイ用具に係る考案によれば、請求項３〜１１の効果に加えて、上棚板の後縁部に差込片を備え、該差込片を背板の差込孔に差し込むように構成したので、上棚板の剛性をさらに向上させることができ、また、上棚板を安定させることができる。
【００３９】
さらに、請求項１３に記載のディスプレイ用具に係る考案によれば、請求項３〜１２の効果に加えて、上棚板の前縁部に商品の移動を防止する移動防止板を備えたので、上棚板に商品を展示した場合に商品の移動を防止することができる。
【００４０】
さらに、請求項１４に記載のディスプレイ用具に係る考案によれば、請求項１３の効果に加えて、移動防止板は広告表示板であるので、展示する商品の広告効果をさらに向上させることが可能となる。
【００４１】
さらに、請求項１５に記載のディスプレイ用具に係る考案によれば、請求項１３または１４の効果に加えて、移動防止板はディスプレイ用具を組み立てる際に利用する組立用操作部であるので、ディスプレイ用具の組立作業をさらに簡単にすることが可能となる。
【００４２】
さらに、請求項１６に記載のディスプレイ用具に係る考案によれば、請求項１３または１４の効果に加えて、移動防止板はディスプレイ用具を折り畳む際に利用する折畳用操作部であるので、ディスプレイ用具を扁平に折り畳む作業がさらに容易となる。
【００４３】
さらに、請求項１７記載のディスプレイ用具に係る考案によれば、図６に示す形状の１枚のブランク材から、背板、左右の側板、底板、前板及び棚板を組み立てたとき、背板、左右の側板、底板及び前板が二重壁構造を形成し且つ背板及び左右の側板は貼着した二重壁構造とすると共に、背板の差込孔に差込片を差し込むように構成したので、ディスプレイ用具の全体の剛性が向上して、重量のある商品でも安定させた状態で展示することができる。
【００４４】
さらに、請求項１８記載のディスプレイ用具に係る考案によれば、図７に示す形状の１枚のブランク材から、背板、左右の側板、底板、前板及び棚板を組み立てたとき、背板、左右の側板、底板及び前板が二重壁構造を形成し且つ背板及び左右の側板は貼着した二重壁構造とすると共に、背板の差込孔に差込片を差し込むように構成したので、ディスプレイ用具の全体の剛性が向上して、重量のある商品でも安定させた状態で展示することができる。
【００４５】
さらに、請求項１９記載のディスプレイ用具に係る考案によれば、図１４に示す形状の１枚のブランク材から、背板、左右の側板、底板、前板及び棚板を組み立てたとき、背板、左右の側板、底板及び前板が二重壁構造を形成し且つ背板及び左右の側板は貼着した二重壁構造とすると共に、背板の差込孔に差込片を差し込むように構成したので、ディスプレイ用具の全体の剛性が向上して、重量のある商品でも安定させた状態で展示することができる。
【００４６】
さらに、請求項２０記載のディスプレイ用具に係る考案によれば、図１５に示す形状の１枚のブランク材から、背板、左右の側板、底板、前板及び棚板を組み立てたとき、背板、左右の側板、底板及び前板が二重壁構造を形成し且つ背板及び左右の側板は貼着した二重壁構造とされるので、ディスプレイ用具の全体の剛性が向上して、重量のある商品でも安定させた状態で展示することができる。
【考案を実施するための最良の形態】
【００４７】
本考案の第１の実施の形態に係るディスプレイ用具を図１〜図４、図６に基づいて説明する。
第１の実施の形態に係るディスプレイ用具は、図１に示すように組み立てた状態で店頭の棚の上などに載置して、下棚板４１及び上棚板４２に商品（図示省略）を載せて使用できるようにしたものである。また、保管時や運搬時には、図３に示すように扁平に折り畳むことができるようにしたものである。
そして、第１の実施の形態に係るディスプレイ用具は、上部広告表示板１３と棚部広告表示板４５に、例えば、商品名と共に効能などの文字を表示すると共に、内背板１０ｂ、左外側板２０ａ、左内側板２０ｂ、右外側板２１ａ、右内側板２１ｂ及び外前板４０ａを広告表示部として利用して、例えば、商品の効能や価格などの文字を表示して、商品の宣伝効果をさらに高めることができるものである。
【００４８】
また、第１の実施の形態に係るディスプレイ用具は、図１に示すように、左外側板２０ａと左内側板２０ｂを貼り合わせると共に、右外側板２１ａと右内側板２１ｂを貼り合わせて、それぞれ二重壁構造に構成している。また、図４に示すように、棚部外前板４４ａと棚部内前板４４ｂとを、また、外背板１０ａと内背板１０ｂとを、それぞれ貼り合わせて二重壁構造に構成している。さらに、図４に示す組立状態では、底板３０の上面に、下棚板４１と棚部底板４７を重ねて二重壁構造に構成すると共に、外背板１０ａに棚部背板４６を重ねて二重壁構造に構成している。
その結果、第１の実施の形態に係るディスプレイ用具は、組み立てた状態で全ての壁面が二重壁構造となるため、剛性が格段に向上して、重量のある商品でも展示することができる。
以下、本考案の第１の実施の形態に係るディスプレイ用具を詳細に説明する。
【００４９】
図６に示すように、ディスプレイ用具は、１枚のブランク材を、背板、側板、底板、前板及び棚板をそれぞれ形成する形状に切り抜いて形成されている。以下の説明において、図６の上下方向の寸法を「縦寸法」、図６の左右方向の寸法を「横寸法」という。
【００５０】
背板はディスプレイ用具の背板を構成するものであり（図１及び図２参照）、横寸法が同一の外背板１０ａと内背板１０ｂから形成されている。外背板１０ａと内背板１０ｂとは背板頂部折曲線１５を介して折り曲げ自在に連設されると共に、切抜線１７で切り離すことにより、内背板１０ｂと一体に上部広告表示板１３が形成されている。また、内背板１０ｂには、背板折込片折曲線１０ｄを介して背板折込片１０ｃが連設されている。外背板１０ａの縦寸法は、内背板１０ｂと背板折込片１０ｃの縦寸法を足した長さとほぼ同一であり、背板折込片１０ｃの縦寸法は棚部背板４６と縦寸法とほぼ同じ寸法に設定されている。また、背板折込片１０ｃには、背板折込片折曲線１０ｄの線上に差込片嵌合孔１１が形成されている。この差込片嵌合孔１１に差込片４３が差し込まれて、図１に示すようにディスプレイ用具が組み立てられる。
さらに、外背板１０ａの左端部は、後述する右外側板２１ａに背板側部折曲線１４を介して折り曲げ自在に連設されている。また、外背板１０ａの右端部には、貼着片折曲線１６を介して貼着片１２が折り曲げ自在に連設されている。貼着片１２は、図２に示すように、左外側板２０ａと右内側板２０ｂとの間に貼り付けられる。
【００５１】
側板はディスプレイ用具の左右の側板を構成するものであり（図１及び図２参照）、左右対称な形状の左側板（２０ａ，２０ｂ）と右側板（２１ａ，２１ｂ）とから構成されている。左側板（２０ａ，２０ｂ）及び右側板（２１ａ，２１ｂ）の寸法は、縦寸法は、外背板１０ａ及び内背板１０ｂの縦寸法と同じ寸法に、また、横寸法は、底板３０の縦寸法と同じ寸法に形成されている。左側板（２０ａ，２０ｂ）は左外側板２０ａと左内側板２０ｂから構成されており、左外側板２０ａと左内側板２０ｂとは左側板頂部折曲線２３ａを介して折り曲げ自在に連設されている。左外側板２０ａの下端部には、左折込片折曲線２５ａを介して左折込片２２ａが折り曲げ自在に連設されている。また、左外側板２０ａの右端部は、後述する外前板４０ａに左側板折曲線２４ａを介して折り曲げ自在に連設されている。
【００５２】
右側板（２１ａ，２１ｂ）は右外側板２１ａと右内側板２１ｂから構成されており、右外側板２１ａと右内側板２１ｂとは右側板頂部折曲線２３ｂを介して折り曲げ自在に連設されている。右外側板２１ａの下端部には、右折込片折曲線２５ｂを介して右折込片２２ｂが折り曲げ自在に連設されている。また、右外側板２１ａは、その左端部が右側板折曲線２４ｂを介して外前板４０ａに折り曲げ自在に連設されると共に、右外側板２１ａの右端部は、背板側部折曲線１４を介して外背板１０ａに折り曲げ自在に連設されている。
【００５３】
底板３０はディスプレイ用具の底板を構成するものであり（図１、図２及び図４参照）、上端部が底板折曲線３２を介して外前板４０ａに折り曲げ自在に連設されている。底板３０の縦寸法は、左右側板（２０ａ，２０ｂ；２１ａ，２１ｂ）の横寸法と同じ寸法に形成されている。底板３０の横寸法は、背板（１０ａ、１０ｂ）の横寸法と同じ寸法に形成されている。また、底板３０の下端部には、差込板折曲線３３を介して差込板３１が折り曲げ自在に連設されている。
【００５４】
前板はディスプレイ用具の前板を構成するものであり（図１及び図４参照）、縦寸法及び横寸法が同一の外前板４０ａと内前板４０ｂから構成されており、外前板４０ａと内前板４０ｂとは山折線５２を介して折り曲げ自在に連設されている。また、前板（４０ａ，４０ｂ）の横寸法は、底板３０の横寸法と同じ寸法に形成されている。外前板４０ａの左端部は、左側板折曲線２４ａを介して左外側板２０ａに、また、外前板４０ａの右端部は、右側板折曲線２４ｂを介して右外側板２１ａに、それぞれ折り曲げ自在に連設されている。
【００５５】
棚板はディスプレイ用具の棚板を構成するものであり（図１及び図４参照）、横寸法が同一の下棚板４１、棚部前板（４４ａ，４４ｂ）、上棚板４２、棚部背板４６、棚部底板４７から構成されている。縦寸法は、棚部外前板４４ａと棚部内前板４４ｂがほぼ同一に形成され、下棚板４１と棚部底板４７の縦寸法を足した長さが底板３０の縦寸法と同一である。また、下棚板４１は谷折線５０を介して内前板４０ｂに、棚部外前板４４ａは谷折線５１を介して下棚板４１に、上棚板４２は山折線５３を介して棚部外前板４４ａに、棚部背板４６は山折線５４を介して上棚板４２に、棚部底板４７は山折線５５を介して棚部背板４６に、また、棚部内前板４４ｂは山折線５６を介して棚部底板４７に、それぞれこれらの順番で連設されている。上棚板４２と棚部外前板４４ａとの間の山折線５３に沿って棚部広告表示板差込孔４８が形成されている。上棚板４２には、折曲線５４ａに沿って差込片４３が一体に形成されており、この差込片４３は切抜線４９により棚部背板４６から切り離されている。さらに、棚部内前板４４ｂには棚部広告表示板差込孔４８に差し込まれる棚部広告表示板４５が一体に形成されている。
【００５６】
次に、図６に示すように切り抜いた１枚のブランク材を、図３に示す扁平状態のディスプレイ用具に組み立てる順番を、背板、側板及び棚板に分けて説明する。なお、図３に示す扁平状態では底板３０の組立は不要である。
【００５７】
（１）背板の組立
イ．  内背板１０ｂを背板頂部折曲線１５に沿って図６の裏面方向に折り曲げる。この状
態で、上部広告表示板１３が起立した状態になる（図１及び図２参照）。
ロ．  背板折込片１０ｃを、背板折込片折曲線１０ｄに沿って図６の裏面方向に折り曲げ
て、外背板１０ａの裏面に貼り付ける。この状態で、外背板１０ａと内背板１０ｂ
との間には差込片嵌合孔１１に相当する隙間が形成される。この差込片嵌合孔１１
に差込片４３が差し込まれる（図４参照）。
【００５８】
（２）側板の組立
イ．  右内側板２１ｂを右側板頂部折曲線２３ｂに沿って図６の裏面方向に折り曲げて
右外側板２１ａの裏面に貼り付ける。
ロ．  左内側板２０ｂを左側板頂部折曲線２３ａに沿って図６の裏面方向に折り曲げる。
ハ．外背板１０ａを背板側部折曲線１４に沿って図６の裏面方向に折り曲げる。この際に      、貼着片１２を貼着片折曲線１６に沿って図６の裏面方向に折り曲げておく。
ニ．右外側板２１ａを右側板折曲線２４ｂに沿って図６の裏面方向に折り曲げる。
ホ．左内側板２０ｂと左外側板２０ａとの間に外背板１０ａの貼着片１２を挟み込んで、      左内側板２０ｂを左外側板２０ａに貼り付けると共に、貼着片１２を左内側板２０      ｂ及び左外側板２０ａに貼り付ける。この状態で、背板（１０ａ，１０ｂ）及び左      右の側板（２０ａ，２０ｂ；２１ａ，２１ｂ）は、外前板４０ａを介して四角筒状      に組み立てられる。
【００５９】
（３）棚板の組立
イ．  内前板４０ｂを山折線５２に沿って図６の裏面方向に折り曲げる（図４参照）。
ロ．  下棚板４１を谷折線５０に沿って図６の手前方向に折り曲げる（図４参照）。
ハ．  棚部外前板４４ａを谷折線５１に沿って図６の手前方向に折り曲げる（図４参照）。
ニ．  上棚板４２を山折線５３に沿って図６の裏面方向に折り曲げる（図４参照）。
ホ．棚部背板４６を山折線５４に沿って図６の裏面方向に折り曲げる（図４参照）。この      状態で、差込片４３は切抜線４９により切り離されて上棚板４２から突出した状態      となる（図３参照）。
ヘ．棚部底板４７を山折線５５に沿って図６の裏面方向に折り曲げる（図４参照）。
ト．棚部内前板４４ｂを山折線５６に沿って図６の裏面方向に折り曲げて、棚部内前板４      ４ｂから突出した棚部広告表示板４５を、上棚板４２と棚部外前板４４ａとの間に      形成した棚部広告表示板差込孔４８に差し込む。（図３及び図４参照）。
チ．棚部外前板４４ａの裏面に棚部内前板４４ｂの前面を貼り付ける（図３及び図４参照      ）。この状態で、上棚板４２は四角筒状の構造体（４２、４６、４７、４４ａ、４      ４ｂ）から構成されるので、上棚板４２の剛性が向上される。
【００６０】
（４）図３に示す扁平状態
イ．上記（１）〜（３）のように組み立てた背板、側板及び棚板は、左右の側板が外前板    ４０ａ及び背板に対してそれぞれほぼ直角をなして四角筒状に形成されている。
ロ．上記イの状態から、左右の側板を、外前板４０ａ及び背板に対してそれぞれ折り曲げ    て、外前板４０ａが背板に重なるように折り畳むと、図３に示すように、扁平状に折    り畳んだ状態のディスプレイ用具が形成される。ディスプレイ用具は、扁平状に折り    畳んだ状態で、保管、運搬される。
【００６１】
次に、第１の実施の形態に係るディスプレイ用具の使用法について説明する。
第１の実施の形態に係るディスプレイ用具は、店頭の棚などに載置して商品を展示する場合には、図１に示すように組み立てて使用し、また、保管や運搬時には、図３に示すように扁平に折り畳むことができるように構成されている。
【００６２】
（１）商品を展示する場合
イ．図３に示す扁平状態から、左右の側板を、外前板４０ａ及び背板に対してそれぞれ直
角をなすように変形して、左右の側板、外前板４０ａ及び背板を四角筒状に組み立て
る。
ロ．左折込片２２ａを左折込片折曲線２５ａに沿って、また、右折込片２２ｂを右折込片
折曲線２５ｂに沿って、それぞれ図６の裏面方向に折り曲げる。
ハ．底板３０を底板折曲線３２に沿って図６の裏面方向に折り曲げる。この際に、差込板
３１を差込板折曲線３３に沿って図６の裏面方向に折り曲げておく。
ニ．差込板３１を外背板１０ａの裏面に重なるように差し込む（図２及び図４参照）。
ホ．内前板４０ｂを外前板４０ａに重なるように折り曲げる（図４参照）。
ヘ．棚部広告表示板４５を指で把持して、下棚板４１と、上棚板４２を構成する四角筒状
の構造体（４２、４４ａ、４４ｂ、４６，４７）を、左右の側板の間に押し込んで、
下棚板４１と棚部底板４７を底板３０の上に重ねる（図４参照）。この場合、棚部広
告表示板４５は、ディスプレイ用具を組み立てる際に利用する組立用操作部として機
能する。
ト．差込片４３を折曲線５４ａに沿って折り曲げて、背板（１０ａ，１０ｂ）の差込片嵌
合孔１１に差し込んで、下棚板４１及び上棚板４２を所定位置に保持させる（図４参
照）。この状態で、背板、左右の側板、底板及び前板は、図１及び図４に示すように
二重壁構造に形成され、また、上棚板４２は四角筒状の構造体で補強されるため、デ
ィスプレイ用具の全壁面の剛性が向上する。また、この状態で上棚板４２に商品を載
置した場合、棚部広告表示板４５は商品の移動を防止する移動防止板としても機能す
る。
【００６３】
（２）扁平に折り畳む場合
イ．図１及び図４に示す状態から、棚部広告表示板４５を指で把持して、下棚板４１及び
上棚板４２を構成する四角筒状の構造体（４２、４４ａ、４４ｂ、４６，４７）を左
右の側板の間から引き抜くと同時に、差込片４３を背板（１０ａ，１０ｂ）の差込片
嵌合孔１１から引き抜く。この場合、棚部広告表示板４５は、ディスプレイ用具を折
り畳む際に利用する折畳用操作部として機能する。
ロ．底板３０の差込板３１を外背板１０ａの裏面から引き抜く。
ハ．外前板４０ａを背板に重なるように押し込むと、四角筒状に保持されていた左右の側
板、外前板４０ａ及び背板が変形して、図３に示すように、扁平に折り畳んだ状態の
ディスプレイ用具となる。
以上説明したように、第１の実施の形態に係るディスプレイ用具では、棚部広告表示板４５を指で把持して移動させるだけで棚板の組立及び折畳をすることができるため、ディスプレイ用具の組立、折畳作業が至極簡単となる。
【００６４】
本考案の第２の実施の形態に係るディスプレイ用具を、図１〜図３を参照して図５及び図７に基づいて、第１の実施の形態に係るディスプレイ用具と相違する点を説明する。なお、第１の実施の形態に係るディスプレイ用具と同じ部材および相当する部材は同じ符号を付して、その説明は適宜省略する。
図７に示すように、第２の実施の形態に係るディスプレイ用具は、第１の実施の形態に係るディスプレイ用具と比較して、内背板１０ｂが相違するだけであり、他の構成部材、すなわち、外背板１０ａ、左右の側板（２０ａ，２０ｂ；２１ａ，２１ｂ）、前板（４０ａ、４０ｂ）、底板３０及び棚板（４１、４２、４４ａ、４４ｂ、４６、４７）は同様に構成されている。そこで、特に、内背板１０ｂの形状について説明する。
内背板１０ｂは、その縦横寸法が外背板１０ａと同じ寸法に形成されており（縦寸法は外背板１０ａよりも内背板１０ｂの方が短くてもよい）、背板頂部折曲線１５を介して外背板１０ａに対して折り曲げ自在に連設されている。また、内背板１０ｂには、切抜線１７で切り離された上部広告表示板１３が一体に形成されている。さらに、内背板１０ｂには差込片挿入孔１１ｂが形成されており、この差込片挿入孔１１ｂに差込片４３が差し込まれて、図１及び図５に示すようにディスプレイ用具が組み立てられる。
【００６５】
第２の実施の形態に係るディスプレイ用具では、外背板１０ａと内背板１０ｂの下部（第１の実施の形態に係るディスプレイ用具の背板折込片１０ｃに相当する部位）も貼着されるため、背板の剛性がさらに向上する。この第２の実施の形態に係るディスプレイ用具の組立方法及び折畳方法は、第１の実施の形態に係るディスプレイ用具と同様に行われる。
ここで、図７に示すディスプレイ用具は、内背板１０ｂに差込片挿入孔１１ｂを形成した形態であるが、図７の斜線部分を切り欠いた形態でも実施することは可能である。すなわち、図７の斜線部分を切り欠いた内背板１０ｂの左右側部を差込片挿入孔１１ｂに相当する部位を残して外背板１０ａに貼着して、内背板１０ｂと外背板１０ａとの間に差込片挿入孔１１ｂに相当する隙間を形成する。このように構成することにより、ディスプレイ用具の組立時に、内背板１０ｂと外背板１０ａとの間に形成した差込片挿入孔１１ｂに相当する隙間に差込片４３を差し込むことができる。この形態では、背面（１０ａ、１０ｂ）の下部は外背板１０ａと棚部背板４６によって二重壁構造を構成するので、第１及び第２の実施の形態と同様に背板の剛性が向上される。
【００６６】
本考案の第３の実施の形態に係るディスプレイ用具を、図１を参照して、図８、図１０、図１２及び図１４に基づいて、第１及び第２の実施の形態に係るディスプレイ用具と相違する点を説明する。なお、第１及び第２の実施の形態に係るディスプレイ用具と同じ部材および相当する部材は同じ符号を付して、その説明は適宜省略する。
図１４に示すように、第３の実施の形態に係るディスプレイ用具は、第１の実施の形態に係るディスプレイ用具と比較して内背板１０ｂと外背板１０ａの形状が相違しているが、他の構成部材、すなわち、左右の側板（２０ａ，２０ｂ；２１ａ，２１ｂ）、前板（４０ａ、４０ｂ）、底板３０及び棚板（４１、４２、４４ａ、４４ｂ、４６、４７）は同様に構成されている。また、第３の実施の形態に係るディスプレイ用具は、第２の実施の形態に係るディスプレイ用具と比較して外背板１０ａの形状が相違するだけであり、他の構成部材、すなわち、内背板１０ｂ、左右の側板（２０ａ，２０ｂ；２１ａ，２１ｂ）、前板（４０ａ、４０ｂ）、底板３０及び棚板（４１、４２、４４ａ、４４ｂ、４６、４７）は同様に構成されている。そこで、特に、外背板１０ａの形状について説明する。なお、第３の実施の形態に係るディスプレイ用具では、上棚板４２と差込片４３との間に折曲線は形成されていない。
【００６７】
外背板１０ａは、その縦横寸法が内背板１０ｂと同じ寸法に形成されており（縦寸法は外背板１０ａよりも内背板１０ｂの方が短くてもよい）、内背板１０ｂは背板頂部折曲線１５を介して外背板１０ａに対して折り曲げ自在に連設されている。また、内背板１０ｂには、切抜線１７で切り離された上部広告表示板１３が一体に形成されると共に、差込片挿入孔１１ｂが形成されている（第２の実施の形態に係るディスプレイ用具の内背板１０ｂと同じ形状）。
また、外背板１０ａには、内背板１０ｂを背板頂部折曲線１５に沿って折り曲げて外背板１０ａに重ねた際に、内背板１０ｂの差込片挿入孔１１ｂに対応する位置に、この差込片挿入孔１１ｂに連通する差込片挿入孔１１ａが形成されており、これらの差込片挿入孔１１ａ、１１ｂに差込片４３が差し込まれて、図８及び図１０に示すようにディスプレイ用具が組み立てられる。第３の実施の形態に係るディスプレイ用具では、上棚板４２と差込片４３との間に折曲線は形成されていないので、図１０に示すように、差込片４３は内背板１０ｂの差込片挿入孔１１ｂと外背板１０ａの差込片挿入孔１１ａを貫通するように差し込まれて背板（１０ａ、１０ｂ）の裏面からほぼ直角に突出する。
【００６８】
第３の実施の形態に係るディスプレイ用具では、第２の実施の形態に係るディスプレイ用具と同様に、外背板１０ａと内背板１０ｂの下部（第１の実施の形態に係るディスプレイ用具の背板折込片１０ｃに相当する部位）も貼着されているため、背板の剛性がさらに向上する。
また、第３の実施の形態に係るディスプレイ用具の組立方法及び折畳方法は、第１及び第２の実施の形態に係るディスプレイ用具とほぼ同様であるが、差込片４３は折り曲げることなく、内背板１０ｂの差込片挿入孔１１ｂと外背板１０ａの差込片挿入孔１１ａを貫通するように差し込まれる（図８及び図１０参照）。このため、ディスプレイ用具の組立方法がさらに簡単になると共に、上棚板４２の後端部（内背板１０ｂと接触する部位）の剛性がさらに向上して、上棚板４２が安定する。
【００６９】
本考案の第４の実施の形態に係るディスプレイ用具を、図１を参照して、図９、図１１、図１３及び図１５に基づいて、第１〜第３の実施の形態に係るディスプレイ用具と相違する点を説明する。なお、第１〜第３の実施の形態に係るディスプレイ用具と同じ部材および相当する部材は同じ符号を付して、その説明は適宜省略する。
図１５に示すように、第４の実施の形態に係るディスプレイ用具は、第１〜第３の実施の形態に係るディスプレイ用具が具備する差込片４３を備えていない。第４の実施の形態に係るディスプレイ用具では、外背板１０ａと内背板１０ｂは縦横寸法が同じ寸法に形成され（縦寸法は外背板１０ａよりも内背板１０ｂの方が短くてもよい）、内背板１０ｂは背板頂部折曲線１５を介して外背板１０ａに対して折り曲げ自在に連設されている。また、内背板１０ｂには、切抜線１７で切り離された上広告板１３が一体に形成されているが、第１の実施の形態に係るディスプレイ用具の内背板１０ｂに形成した差込片嵌合孔１１（図６参照）、第２の実施の形態に係るディスプレイ用具の内背板１０ｂに形成した差込片挿入孔１１ｂ（図７参照）、第３の実施の形態に係るディスプレイ用具の外背板１０ａに形成した差込片挿入孔１１ａと内背板１０ｂに形成した差込片挿入孔１１ｂ（図１４参照）は形成されていない。
そして、第４の実施の形態に係るディスプレイ用具は、第１〜第３の実施の形態に係るディスプレイ用具と比較して、その他の構成部材、すなわち、左右の側板（２０ａ，２０ｂ；２１ａ，２１ｂ）、前板（４０ａ、４０ｂ）、底板３０及び棚板（４１、４２、４４ａ、４４ｂ、４６、４７）は同様に構成されている。
【００７０】
第４の実施の形態に係るディスプレイ用具では、棚部広告表示板４５を指で把持して下棚板４１と上棚板４２を構成する四角筒状の構造体（４２、４４ａ、４４ｂ、４６，４７）を、左右の側板の間に押し込んで、下棚板４１と棚部底板４７を底板３０の上に重ねるだけで、組立作業が終了するため、ディスプレイ用具の組立作業がより簡単となる（図１１参照）。また、扁平に折り畳む際には、棚部広告表示板４５を指で把持して左右の側板の間から引き抜くだけで、折畳作業が終了するため、差込片４３を背板（１０ａ，１０ｂ）の差込切抜孔１１または差込孔１１ａから引き抜く作業を省略することができ、ディスプレイ用具の折畳作業がより簡単となる（図１３参照）。
【図面の簡単な説明】
【００７１】
【図１】第１の実施の形態に係るディスプレイ用具の斜視図である。
【図２】第１の実施の形態に係るディスプレイ用具を背面から見た斜視図である。
【図３】第１の実施の形態に係るディスプレイ用具を扁平に折り畳んだ状態を示す斜視図である。
【図４】図２のＡ−Ａ線に沿った断面図である。
【図５】第２の実施の形態に係るディスプレイ用具を図４と同様の断面で示す図である。
【図６】第１の実施の形態に係るディスプレイ用具の展開平面図である。
【図７】第２の実施の形態に係るディスプレイ用具の展開平面図である。
【図８】第３の実施の形態に係るディスプレイ用具を背面から見た斜視図である。
【図９】第４の実施の形態に係るディスプレイ用具を背面から見た斜視図である。
【図１０】図８のＢ−Ｂ線に沿った断面図である。
【図１１】図９のＣ−Ｃ線に沿った断面図である。
【図１２】第３の実施の形態に係るディスプレイ用具を扁平状に折り畳んだ状態を示す斜視図である。
【図１３】第４の実施の形態に係るディスプレイ用具を扁平状に折り畳んだ状態を示す斜視図である。
【図１４】第３の実施の形態に係るディスプレイ用具の展開平面図である。
【図１５】第４の実施の形態に係るディスプレイ用具の展開平面図である。
【符号の説明】
【００７２】
１０ａ  外背板
１０ｂ  内背板
１０ｃ  背板折込片
１０ｄ  背板折込片折曲線
１１  差込片嵌合孔（差込孔）
１１ａ、１１ｂ  差込片挿入孔（差込孔）
１２  貼着片
１３  上部広告表示板
１４  背板側部折曲線
１５  背板頂部折曲線
１６  貼着片折曲線
１７  切抜線
２０ａ  左外側板
２０ｂ  左内側板
２１ａ  右外側板
２１ｂ  右内側板
２２ａ  左折込片
２２ｂ  右折込片
２３ａ  左側板頂部折曲線
２３ｂ  右側板頂部折曲線
２４ａ  左側板折曲線
２４ｂ  右側板折曲線
２５ａ  左折込片折曲線
２５ｂ  右折込片折曲線
３０  底板
３１  差込板
３２  底板折曲線
３３  差込板折曲線
４０ａ  外前板
４０ｂ  内前板
４１  下棚板
４２  上棚板
４３  差込片
４４ａ  棚部外前板
４４ｂ  棚部内前板
４５  広告表示板（移動防止板、組立用操作部、折畳用操作部）
４６  棚部背板
４７  棚部底板
４８  棚部広告板差込孔
４９  切抜線
５０、５１  谷折線
５２、５３、５４、５５、５６  山折線
【図１】
0003142514.tif 000003
【図２】
0003142514.tif 000004
【図３】
0003142514.tif 000005
【図４】
0003142514.tif 000006
【図５】
0003142514.tif 000007
【図６】
0003142514.tif 000008
【図７】
0003142514.tif 000009
【図８】
0003142514.tif 000010
【図９】
0003142514.tif 000011
【図１０】
0003142514.tif 000012
【図１１】
0003142514.tif 000013
【図１２】
0003142514.tif 000014
【図１３】
0003142514.tif 000015
【図１４】
0003142514.tif 000016
【図１５】
0003142514.tif 000017
【手続補正書】
【提出日】平成20年1月17日(2008.1.17)
【手続補正１】
【補正対象書類名】実用新案登録請求の範囲
【補正対象項目名】全文
【補正方法】変更
【補正の内容】
【実用新案登録請求の範囲】
【請求項１】
背板、左右の側板、底板、前板及び棚板を有するディスプレイ用具であって、背板、左右の側板、底板及び前板を二重壁構造としたことを特徴とするディスプレイ用具。
【請求項２】
背板及び左右の側板を貼着した二重壁構造としたことを特徴とする請求項１に記載のディスプレイ用具。
【請求項３】
下棚板及び上棚板を有する階段状の棚板を備えることを特徴とする請求項１または２に記載のディスプレイ用具。
【請求項４】
棚部前板、上棚板、棚部背板及び棚部底板により四角筒状の構造体を構成することを特徴とする請求項３に記載のディスプレイ用具。
【請求項５】
前板を構成する外前板と内前板、内前板と下棚板、下棚板と構造体が連設して形成されていることを特徴とする請求項４に記載のディスプレイ用具。
【請求項６】
背板、左右の側板、底板、前板及び棚板を１枚のブランク材から構成したことを特徴とする請求項１〜５のいずれかに記載のディスプレイ用具。
【請求項７】
１枚のブランク材が、図６に示すように、背板、側板、底板、前板及び棚板をそれぞれ形成する形状に切り抜いた形状であることを特徴とする請求項６に記載のディスプレイ用具。
【請求項８】
１枚のブランク材が、図７に示すように、背板、側板、底板、前板及び棚板をそれぞれ形成する形状に切り抜いた形状であることを特徴とする請求項６に記載のディスプレイ用具。
【請求項９】
１枚のブランク材が、図１４に示すように、背板、側板、底板、前板及び棚板をそれぞれ形成する形状に切り抜いた形状であることを特徴とする請求項６に記載のディスプレイ用具。
【請求項１０】
１枚のブランク材が、図１５に示すように、背板、側板、底板、前板及び棚板をそれぞれ形成する形状に切り抜いた形状であることを特徴とする請求項６に記載のディスプレイ用具。
【請求項１１】
扁平状に折り畳み自在に構成したことを特徴とする請求項１〜１０のいずれかに記載のディスプレイ用具。
【請求項１２】
上棚板の後縁部に差込片を備え、該差込片を背板の差込孔に差し込むように構成したことを特徴とする請求項３〜１１のいずれかに記載のディスプレイ用具。
【請求項１３】
上棚板の前縁部に商品の移動を防止する移動防止板を備えることを特徴とする請求項３〜１２のいずれかに記載のディスプレイ用具。
【請求項１４】
移動防止板は広告表示板であることを特徴とする請求項１３に記載のディスプレイ用具。
【請求項１５】
移動防止板はディスプレイ用具を組み立てる際に利用する組立用操作部であることを特徴とする請求項１３または１４に記載のディスプレイ用具。
【請求項１６】
移動防止板はディスプレイ用具を折り畳む際に利用する折畳用操作部であることを特徴とする請求項１３または１４に記載のディスプレイ用具。
【請求項１７】
背板（１０ａ、１０ｂ）、左右の側板（２０ａ、２０ｂ、２１ａ、２１ｂ）、底板（３０）、前板（４０ａ、４０ｂ）及び棚板（４１、４２）を有するディスプレイ用具であって、
図６に示すように切り抜いた形状の１枚のブランク材から背板、左右の側板、底板、前板及び棚板を組み立てたとき、背板、左右の側板、底板及び前板が二重壁構造を形成し且つ背板及び左右の側板は貼着した二重壁構造とされ、
下棚板（４１）及び上棚板（４２）を有する階段状の棚板（４１、４２）を備え、棚部前板（４４ａ、４４ｂ）、上棚板（４２）、棚部背板（４６）及び棚部底板（４７）により四角筒状の構造体（４２、４４ａ、４４ｂ、４６、４７）が構成され、
前板を構成する外前板（４０ａ）と内前板（４０ｂ）、内前板（４０ｂ）と下棚板（４１）、下棚板（４１）と構造体（４２、４４ａ、４４ｂ、４６、４７）が連設して形成され、
上棚板（４２）の後縁部に差込片（４３）を備え、該差込片（４３）は背板（１０ｂ）の差込孔（１１）に差し込むように構成され、
上棚板（４２）の前縁部に商品の移動を防止する移動防止板（４５）を備える、ことを特徴とするディスプレイ用具。
【請求項１８】
背板（１０ａ、１０ｂ）、左右の側板（２０ａ、２０ｂ、２１ａ、２１ｂ）、底板（３０）、前板（４０ａ、４０ｂ）及び棚板（４１、４２）を有するディスプレイ用具であって、
図７に示すように切り抜いた形状の１枚のブランク材から背板、左右の側板、底板、前板及び棚板を組み立てたとき、背板、左右の側板、底板及び前板が二重壁構造を形成し且つ背板及び左右の側板は貼着した二重壁構造とされ、
下棚板（４１）及び上棚板（４２）を有する階段状の棚板（４１、４２）を備え、棚部前板（４４ａ、４４ｂ）、上棚板（４２）、棚部背板（４６）及び棚部底板（４７）により四角筒状の構造体（４２、４４ａ、４４ｂ、４６、４７）が構成され、
前板を構成する外前板（４０ａ）と内前板（４０ｂ）、内前板（４０ｂ）と下棚板（４１）、下棚板（４１）と構造体（４２、４４ａ、４４ｂ、４６、４７）が連設して形成され、
上棚板（４２）の後縁部に差込片（４３）を備え、該差込片（４３）は背板（１０ｂ）の差込孔（１１ｂ）に差し込むように構成され、
上棚板（４２）の前縁部に商品の移動を防止する移動防止板（４５）を備える、ことを特徴とするディスプレイ用具。
【請求項１９】
背板（１０ａ、１０ｂ）、左右の側板（２０ａ、２０ｂ、２１ａ、２１ｂ）、底板（３０）、前板（４０ａ、４０ｂ）及び棚板（４１、４２）を有するディスプレイ用具であって、
図１４に示すように切り抜いた形状の１枚のブランク材から背板、左右の側板、底板、前板及び棚板を組み立てたとき、背板、左右の側板、底板及び前板が二重壁構造を形成し且つ背板及び左右の側板は貼着した二重壁構造とされ、
下棚板（４１）及び上棚板（４２）を有する階段状の棚板（４１、４２）を備え、棚部前板（４４ａ、４４ｂ）、上棚板（４２）、棚部背板（４６）及び棚部底板（４７）により四角筒状の構造体（４２、４４ａ、４４ｂ、４６、４７）が構成され、
前板を構成する外前板（４０ａ）と内前板（４０ｂ）、内前板（４０ｂ）と下棚板（４１）、下棚板（４１）と構造体（４２、４４ａ、４４ｂ、４６、４７）が連設して形成され、
上棚板（４２）の後縁部に差込片（４３）を備え、該差込片（４３）は背板（１０ａ、１０ｂ）の差込孔（１１ａ、１１ｂ）に差し込むように構成され、
上棚板（４２）の前縁部に商品の移動を防止する移動防止板（４５）を備える、ことを特徴とするディスプレイ用具。
【請求項２０】
背板（１０ａ、１０ｂ）、左右の側板（２０ａ、２０ｂ、２１ａ、２１ｂ）、底板（３０）、前板（４０ａ、４０ｂ）及び棚板（４１、４２）を有するディスプレイ用具であって、
図１５に示すように切り抜いた形状の１枚のブランク材から背板、左右の側板、底板、前板及び棚板を組み立てたとき、背板、左右の側板、底板及び前板が二重壁構造を形成し且つ背板及び左右の側板は貼着した二重壁構造とされ、
下棚板（４１）及び上棚板（４２）を有する階段状の棚板（４１、４２）を備え、棚部前板（４４ａ、４４ｂ）、上棚板（４２）、棚部背板（４６）及び棚部底板（４７）により四角筒状の構造体（４２、４４ａ、４４ｂ、４６、４７）が構成され、
前板を構成する外前板（４０ａ）と内前板（４０ｂ）、内前板（４０ａ）と下棚板（４１）、下棚板（４１）と構造体（４２、４４ａ、４４ｂ、４６、４７）が連設して形成され、
上棚板（４２）の前縁部に商品の移動を防止する移動防止板（４５）を備える、ことを特徴とするディスプレイ用具。
【手続補正２】
【補正対象書類名】明細書
【補正対象項目名】００１２
【補正方法】変更
【補正の内容】
【００１２】
さらに、上記課題を達成するために、請求項７に記載のディスプレイ用具に係る考案は、請求項６に記載の考案において、１枚のブランク材が、図６に示すように、背板、側板、底板、前板及び棚板をそれぞれ形成する形状に切り抜いた形状であることを特徴とする。
【手続補正３】
【補正対象書類名】明細書
【補正対象項目名】００１３
【補正方法】変更
【補正の内容】
【００１３】
さらに、上記課題を達成するために、請求項８に記載のディスプレイ用具に係る考案は、請求項６に記載の考案において、１枚のブランク材が、図７に示すように、背板、側板、底板、前板及び棚板をそれぞれ形成する形状に切り抜いた形状であることを特徴とする。
【手続補正４】
【補正対象書類名】明細書
【補正対象項目名】００１４
【補正方法】変更
【補正の内容】
【００１４】
さらに、上記課題を達成するために、請求項９に記載のディスプレイ用具に係る考案は、請求項６に記載の考案において、１枚のブランク材が、図１４に示すように、背板、側板、底板、前板及び棚板をそれぞれ形成する形状に切り抜いた形状であることを特徴とする。
【手続補正５】
【補正対象書類名】明細書
【補正対象項目名】００１５
【補正方法】変更
【補正の内容】
【００１５】
さらに、上記課題を達成するために、請求項１０に記載のディスプレイ用具に係る考案は、請求項６に記載の考案において、１枚のブランク材が、図１５に示すように、背板、側板、底板、前板及び棚板をそれぞれ形成する形状に切り抜いた形状であることを特徴とする
【手続補正６】
【補正対象書類名】明細書
【補正対象項目名】００２２
【補正方法】変更
【補正の内容】
【００２２】
さらに、上記課題を達成するために、請求項１７に記載のディスプレイ用具に係る考案は、背板（１０ａ、１０ｂ）、左右の側板（２０ａ、２０ｂ、２１ａ、２１ｂ）、底板（３０）、前板（４０ａ、４０ｂ）及び棚板（４１、４２）を有するディスプレイ用具であって、図６に示すように切り抜いた形状の１枚のブランク材から背板、左右の側板、底板、前板及び棚板を組み立てたとき、背板、左右の側板、底板及び前板が二重壁構造を形成し且つ背板及び左右の側板は貼着した二重壁構造とされ、下棚板（４１）及び上棚板（４２）を有する階段状の棚板（４１、４２）を備え、棚部前板（４４ａ、４４ｂ）、上棚板（４２）、棚部背板（４６）及び棚部底板（４７）により四角筒状の構造体（４２、４４ａ、４４ｂ、４６、４７）が構成され、前板を構成する外前板（４０ａ）と内前板（４０ｂ）、内前板（４０ｂ）と下棚板（４１）、下棚板（４１）と構造体（４２、４４ａ、４４ｂ、４６、４７）が連設して形成され、上棚板（４２）の後縁部に差込片（４３）を備え、該差込片（４３）は背板（１０ｂ）の差込孔（１１）に差し込むように構成され、上棚板（４２）の前縁部に商品の移動を防止する移動防止板（４５）を備える、ことを特徴とする。
【手続補正７】
【補正対象書類名】明細書
【補正対象項目名】００２３
【補正方法】変更
【補正の内容】
【００２３】
さらに、上記課題を達成するために、請求項１８に記載のディスプレイ用具に係る考案は、背板（１０ａ、１０ｂ）、左右の側板（２０ａ、２０ｂ、２１ａ、２１ｂ）、底板（３０）、前板（４０ａ、４０ｂ）及び棚板（４１、４２）を有するディスプレイ用具であって、図７に示すように切り抜いた形状の１枚のブランク材から背板、左右の側板、底板、前板及び棚板を組み立てたとき、背板、左右の側板、底板及び前板が二重壁構造を形成し且つ背板及び左右の側板は貼着した二重壁構造とされ、下棚板（４１）及び上棚板（４２）を有する階段状の棚板（４１、４２）を備え、棚部前板（４４ａ、４４ｂ）、上棚板（４２）、棚部背板（４６）及び棚部底板（４７）により四角筒状の構造体（４２、４４ａ、４４ｂ、４６、４７）が構成され、前板を構成する外前板（４０ａ）と内前板（４０ｂ）、内前板（４０ｂ）と下棚板（４１）、下棚板（４１）と構造体（４２、４４ａ、４４ｂ、４６、４７）が連設して形成され、上棚板（４２）の後縁部に差込片（４３）を備え、該差込片（４３）は背板（１０ｂ）の差込孔（１１ｂ）に差し込むように構成され、上棚板（４２）の前縁部に商品の移動を防止する移動防止板（４５）を備える、ことを特徴とする。
【手続補正８】
【補正対象書類名】明細書
【補正対象項目名】００２４
【補正方法】変更
【補正の内容】
【００２４】
さらに、上記課題を達成するために、請求項１９に記載のディスプレイ用具に係る考案は、背板（１０ａ、１０ｂ）、左右の側板（２０ａ、２０ｂ、２１ａ、２１ｂ）、底板（３０）、前板（４０ａ、４０ｂ）及び棚板（４１、４２）を有するディスプレイ用具であって、図１４に示すように切り抜いた形状の１枚のブランク材から背板、左右の側板、底板、前板及び棚板を組み立てたとき、背板、左右の側板、底板及び前板が二重壁構造を形成し且つ背板及び左右の側板は貼着した二重壁構造とされ、下棚板（４１）及び上棚板（４２）を有する階段状の棚板（４１、４２）を備え、棚部前板（４４ａ、４４ｂ）、上棚板（４２）、棚部背板（４６）及び棚部底板（４７）により四角筒状の構造体（４２、４４ａ、４４ｂ、４６、４７）が構成され、前板を構成する外前板（４０ａ）と内前板（４０ｂ）、内前板（４０ｂ）と下棚板（４１）、下棚板（４１）と構造体（４２、４４ａ、４４ｂ、４６、４７）が連設して形成され、上棚板（４２）の後縁部に差込片（４３）を備え、該差込片（４３）は背板（１０ａ、１０ｂ）の差込孔（１１ａ、１１ｂ）に差し込むように構成され、上棚板（４２）の前縁部に商品の移動を防止する移動防止板（４５）を備える、ことを特徴とする。
【手続補正９】
【補正対象書類名】明細書
【補正対象項目名】００２５
【補正方法】変更
【補正の内容】
【００２５】
さらに、上記課題を達成するために、請求項２０に記載のディスプレイ用具に係る考案は、背板（１０ａ、１０ｂ）、左右の側板（２０ａ、２０ｂ、２１ａ、２１ｂ）、底板（３０）、前板（４０ａ、４０ｂ）及び棚板（４１、４２）を有するディスプレイ用具であって、図１５に示すように切り抜いた形状の１枚のブランク材から背板、左右の側板、底板、前板及び棚板を組み立てたとき、背板、左右の側板、底板及び前板が二重壁構造を形成し且つ背板及び左右の側板は貼着した二重壁構造とされ、下棚板（４１）及び上棚板（４２）を有する階段状の棚板（４１、４２）を備え、棚部前板（４４ａ、４４ｂ）、上棚板（４２）、棚部背板（４６）及び棚部底板（４７）により四角筒状の構造体（４２、４４ａ、４４ｂ、４６、４７）が構成され、前板を構成する外前板（４０ａ）と内前板（４０ｂ）、内前板（４０ａ）と下棚板（４１）、下棚板（４１）と構造体（４２、４４ａ、４４ｂ、４６、４７）が連設して形成され、上棚板（４２）の前縁部に商品の移動を防止する移動防止板（４５）を備える、ことを特徴とする。
【手続補正１０】
【補正対象書類名】明細書
【補正対象項目名】００３３
【補正方法】変更
【補正の内容】
【００３３】
さらに、請求項７記載のディスプレイ用具に係る考案によれば、請求項６の効果に加えて、１枚のブランク材を、図６に示すように、背板、側板、底板、前板及び棚板をそれぞれ形成する形状に切り抜いた形状にしたので、背板折込片と差込孔を形成した背板を備えたディスプレイ用具の素形材を簡単に成形加工することができる。
【手続補正１１】
【補正対象書類名】明細書
【補正対象項目名】００３４
【補正方法】変更
【補正の内容】
【００３４】
さらに、請求項８記載のディスプレイ用具に係る考案によれば、請求項６の効果に加えて、１枚のブランク材を、図７に示すように、背板、側板、底板、前板及び棚板をそれぞれ形成する形状に切り抜いた形状にしたので、差込孔を形成した背板を備えたディスプレイ用具の素形材を簡単に成形加工することができる。
【手続補正１２】
【補正対象書類名】明細書
【補正対象項目名】００３５
【補正方法】変更
【補正の内容】
【００３５】
さらに、請求項９記載のディスプレイ用具に係る考案によれば、請求項６の効果に加えて、１枚のブランク材を、図１４に示すように、背板、側板、底板、前板及び棚板をそれぞれ形成する形状に切り抜いた形状にしたので、差込孔を形成した背板を備えたディスプレイ用具の素形材を簡単に成形加工することができる。
【手続補正１３】
【補正対象書類名】明細書
【補正対象項目名】００３６
【補正方法】変更
【補正の内容】
【００３６】
さらに、請求項１０記載のディスプレイ用具に係る考案によれば、請求項６の効果に加えて、１枚のブランク材を、図１５に示すように、背板、側板、底板、前板及び棚板をそれぞれ形成する形状に切り抜いた形状にしたので、背板の成形加工を簡素化したディスプレイ用具の素形材を簡単に成形加工することができる。
【手続補正１４】
【補正対象書類名】明細書
【補正対象項目名】００４３
【補正方法】変更
【補正の内容】
【００４３】
さらに、請求項１７記載のディスプレイ用具に係る考案によれば、図６に示すように切り抜いた形状の１枚のブランク材から、背板、左右の側板、底板、前板及び棚板を組み立てたとき、背板、左右の側板、底板及び前板が二重壁構造を形成し且つ背板及び左右の側板は貼着した二重壁構造とすると共に、背板の差込孔に差込片を差し込むように構成したので、ディスプレイ用具の全体の剛性が向上して、重量のある商品でも安定させた状態で展示することができる。
【手続補正１５】
【補正対象書類名】明細書
【補正対象項目名】００４４
【補正方法】変更
【補正の内容】
【００４４】
さらに、請求項１８記載のディスプレイ用具に係る考案によれば、図７に示すように切り抜いた形状の１枚のブランク材から、背板、左右の側板、底板、前板及び棚板を組み立てたとき、背板、左右の側板、底板及び前板が二重壁構造を形成し且つ背板及び左右の側板は貼着した二重壁構造とすると共に、背板の差込孔に差込片を差し込むように構成したので、ディスプレイ用具の全体の剛性が向上して、重量のある商品でも安定させた状態で展示することができる。
【手続補正１６】
【補正対象書類名】明細書
【補正対象項目名】００４５
【補正方法】変更
【補正の内容】
【００４５】
さらに、請求項１９記載のディスプレイ用具に係る考案によれば、図１４に示すように切り抜いた形状の１枚のブランク材から、背板、左右の側板、底板、前板及び棚板を組み立てたとき、背板、左右の側板、底板及び前板が二重壁構造を形成し且つ背板及び左右の側板は貼着した二重壁構造とすると共に、背板の差込孔に差込片を差し込むように構成したので、ディスプレイ用具の全体の剛性が向上して、重量のある商品でも安定させた状態で展示することができる。
【手続補正１７】
【補正対象書類名】明細書
【補正対象項目名】００４６
【補正方法】変更
【補正の内容】
【００４６】
さらに、請求項２０記載のディスプレイ用具に係る考案によれば、図１５に示すように切り抜いた形状の１枚のブランク材から、背板、左右の側板、底板、前板及び棚板を組み立てたとき、背板、左右の側板、底板及び前板が二重壁構造を形成し且つ背板及び左右の側板は貼着した二重壁構造とされるので、ディスプレイ用具の全体の剛性が向上して、重量のある商品でも安定させた状態で展示することができる。
【手続補正書】
【提出日】平成20年4月8日(2008.4.8)
【手続補正１】
【補正対象書類名】実用新案登録請求の範囲
【補正対象項目名】全文
【補正方法】変更
【補正の内容】
【実用新案登録請求の範囲】
【請求項１】
背板、左右の側板、底板、前板及び棚板を有するディスプレイ用具であって、背板、左右の側板、底板及び前板を二重壁構造としたことを特徴とするディスプレイ用具。
【請求項２】
背板及び左右の側板を貼着した二重壁構造としたことを特徴とする請求項１に記載のディスプレイ用具。
【請求項３】
下棚板及び上棚板を有する階段状の棚板を備えることを特徴とする請求項１または２に記載のディスプレイ用具。
【請求項４】
棚部前板、上棚板、棚部背板及び棚部底板により四角筒状の構造体を構成することを特徴とする請求項３に記載のディスプレイ用具。
【請求項５】
前板を構成する外前板と内前板、内前板と下棚板、下棚板と構造体が連設して形成されていることを特徴とする請求項４に記載のディスプレイ用具。
【請求項６】
背板、左右の側板、底板、前板及び棚板を１枚のブランク材から構成したことを特徴とする請求項１〜５のいずれかに記載のディスプレイ用具。
【請求項７】
外背板に対して内背板を折り曲げると共に内背板に対して背板折込片を折り曲げて、外背板と内背板との間に背板折込片を介在させて二重壁構造の背板を構成したことを特徴とする請求項６に記載のディスプレイ用具。
【請求項８】
外背板に対して内背板を折り曲げて外背板に内背板を重ねて外背板と内背板の下部を貼着して二重壁構造の背板を構成したことを特徴とする請求項６に記載のディスプレイ用具。
【請求項９】
外背板に対して内背板を折り曲げて外背板に内背板を重ねて、外背板及び内背板の互いに対応する位置に棚板の差込片を差込む差込孔を形成して二重壁構造の背板を構成したことを特徴とする請求項６に記載のディスプレイ用具。
【請求項１０】
外背板に対して内背板を折り曲げて外背板に内背板を重ねて二重壁構造の背板を構成したことを特徴とする請求項６に記載のディスプレイ用具。
【請求項１１】
扁平状に折り畳み自在に構成したことを特徴とする請求項１〜１０のいずれかに記載のディスプレイ用具。
【請求項１２】
上棚板の後縁部に差込片を備え、該差込片を背板の差込孔に差し込むように構成したことを特徴とする請求項３〜１１のいずれかに記載のディスプレイ用具。
【請求項１３】
上棚板の前縁部に商品の移動を防止する移動防止板を備えることを特徴とする請求項３〜１２のいずれかに記載のディスプレイ用具。
【請求項１４】
移動防止板は広告表示板であることを特徴とする請求項１３に記載のディスプレイ用具。
【請求項１５】
移動防止板はディスプレイ用具を組み立てる際に利用する組立用操作部であることを特徴とする請求項１３または１４に記載のディスプレイ用具。
【請求項１６】
移動防止板はディスプレイ用具を折り畳む際に利用する折畳用操作部であることを特徴とする請求項１３または１４に記載のディスプレイ用具。
【請求項１７】
背板（１０ａ、１０ｂ）、左右の側板（２０ａ、２０ｂ、２１ａ、２１ｂ）、底板（３０）、前板（４０ａ、４０ｂ）及び棚板（４１、４２）を有するディスプレイ用具であって、
１枚のブランク材から背板、左右の側板、底板、前板及び棚板を組み立てたとき、背板、左右の側板、底板及び前板が二重壁構造を形成し且つ背板及び左右の側板は貼着した二重壁構造とされ、
内背板（１０ｂ）と外背板（１０ａ）との間に背板折込片（１０ｃ）を介在させて内背板（１０ｂ）に差込孔（１１）を形成し、
下棚板（４１）及び上棚板（４２）を有する階段状の棚板（４１、４２）を備え、棚部前板（４４ａ、４４ｂ）、上棚板（４２）、棚部背板（４６）及び棚部底板（４７）により四角筒状の構造体（４２、４４ａ、４４ｂ、４６、４７）が構成され、
前板を構成する外前板（４０ａ）と内前板（４０ｂ）、内前板（４０ｂ）と下棚板（４１）、下棚板（４１）と構造体（４２、４４ａ、４４ｂ、４６、４７）が連設して形成され、
上棚板（４２）の後縁部に差込片（４３）を備え、該差込片（４３）は内背板（１０ｂ）の差込孔（１１）に差し込むように構成され、
上棚板（４２）の前縁部に商品の移動を防止する移動防止板（４５）を備える、ことを特徴とするディスプレイ用具。
【請求項１８】
背板（１０ａ、１０ｂ）、左右の側板（２０ａ、２０ｂ、２１ａ、２１ｂ）、底板（３０）、前板（４０ａ、４０ｂ）及び棚板（４１、４２）を有するディスプレイ用具であって、
１枚のブランク材から背板、左右の側板、底板、前板及び棚板を組み立てたとき、背板、左右の側板、底板及び前板が二重壁構造を形成し且つ背板及び左右の側板は貼着した二重壁構造とされ、
外背板（１０ａ）に重なるように折り曲げた内背板（１０ｂ）に差込孔（１１ｂ）を形成し、
下棚板（４１）及び上棚板（４２）を有する階段状の棚板（４１、４２）を備え、棚部前板（４４ａ、４４ｂ）、上棚板（４２）、棚部背板（４６）及び棚部底板（４７）により四角筒状の構造体（４２、４４ａ、４４ｂ、４６、４７）が構成され、
前板を構成する外前板（４０ａ）と内前板（４０ｂ）、内前板（４０ｂ）と下棚板（４１）、下棚板（４１）と構造体（４２、４４ａ、４４ｂ、４６、４７）が連設して形成され、
上棚板（４２）の後縁部に差込片（４３）を備え、該差込片（４３）は内背板（１０ｂ）の差込孔（１１ｂ）に差し込むように構成され、
上棚板（４２）の前縁部に商品の移動を防止する移動防止板（４５）を備える、ことを特徴とするディスプレイ用具。
【請求項１９】
背板（１０ａ、１０ｂ）、左右の側板（２０ａ、２０ｂ、２１ａ、２１ｂ）、底板（３０）、前板（４０ａ、４０ｂ）及び棚板（４１、４２）を有するディスプレイ用具であって、
１枚のブランク材から背板、左右の側板、底板、前板及び棚板を組み立てたとき、背板、左右の側板、底板及び前板が二重壁構造を形成し且つ背板及び左右の側板は貼着した二重壁構造とされ、
外背板（１０ａ）に重なるように内背板（１０ｂ）を折り曲げて、外背板（１０ａ）及び内背板（１０ｂ）の互いに対応する位置に差込孔（１１ａ、１１ｂ）を形成し、
下棚板（４１）及び上棚板（４２）を有する階段状の棚板（４１、４２）を備え、棚部前板（４４ａ、４４ｂ）、上棚板（４２）、棚部背板（４６）及び棚部底板（４７）により四角筒状の構造体（４２、４４ａ、４４ｂ、４６、４７）が構成され、
前板を構成する外前板（４０ａ）と内前板（４０ｂ）、内前板（４０ｂ）と下棚板（４１）、下棚板（４１）と構造体（４２、４４ａ、４４ｂ、４６、４７）が連設して形成され、
上棚板（４２）の後縁部に差込片（４３）を備え、該差込片（４３）は背板（１０ａ、１０ｂ）の差込孔（１１ａ、１１ｂ）に差し込むように構成され、
上棚板（４２）の前縁部に商品の移動を防止する移動防止板（４５）を備える、ことを特徴とするディスプレイ用具。
【請求項２０】
背板（１０ａ、１０ｂ）、左右の側板（２０ａ、２０ｂ、２１ａ、２１ｂ）、底板（３０）、前板（４０ａ、４０ｂ）及び棚板（４１、４２）を有するディスプレイ用具であって、
１枚のブランク材から背板、左右の側板、底板、前板及び棚板を組み立てたとき、背板、左右の側板、底板及び前板が二重壁構造を形成し且つ背板及び左右の側板は貼着した二重壁構造とされ、
外背板（１０ａ）に対して内背板（１０ｂ）を折り曲げて外背板（１０ａ）に内背板（１０ｂ）を重ねて二重壁構造の背板（１０ａ、１０ｂ）を構成し、
下棚板（４１）及び上棚板（４２）を有する階段状の棚板（４１、４２）を備え、棚部前板（４４ａ、４４ｂ）、上棚板（４２）、棚部背板（４６）及び棚部底板（４７）により四角筒状の構造体（４２、４４ａ、４４ｂ、４６、４７）が構成され、
前板を構成する外前板（４０ａ）と内前板（４０ｂ）、内前板（４０ａ）と下棚板（４１）、下棚板（４１）と構造体（４２、４４ａ、４４ｂ、４６、４７）が連設して形成され、
上棚板（４２）の前縁部に商品の移動を防止する移動防止板（４５）を備える、ことを特徴とするディスプレイ用具。
【手続補正２】
【補正対象書類名】明細書
【補正対象項目名】００１２
【補正方法】変更
【補正の内容】
【００１２】
さらに、上記課題を達成するために、請求項７に記載のディスプレイ用具に係る考案は、請求項６に記載の考案において、外背板に対して内背板を折り曲げると共に内背板に対して背板折込片を折り曲げて、外背板と内背板との間に背板折込片を介在させて二重壁構造の背板を構成したことを特徴とする。
【手続補正３】
【補正対象書類名】明細書
【補正対象項目名】００１３
【補正方法】変更
【補正の内容】
【００１３】
さらに、上記課題を達成するために、請求項８に記載のディスプレイ用具に係る考案は、請求項６に記載の考案において、外背板に対して内背板を折り曲げて外背板に内背板を重ねて外背板と内背板の下部を貼着して二重壁構造の背板を構成したことを特徴とする。
【手続補正４】
【補正対象書類名】明細書
【補正対象項目名】００１４
【補正方法】変更
【補正の内容】
【００１４】
さらに、上記課題を達成するために、請求項９に記載のディスプレイ用具に係る考案は、請求項６に記載の考案において、外背板に対して内背板を折り曲げて外背板に内背板を重ねて、外背板及び内背板の互いに対応する位置に棚板の差込片を差込む差込孔を形成して二重壁構造の背板を構成したことを特徴とする。
【手続補正５】
【補正対象書類名】明細書
【補正対象項目名】００１５
【補正方法】変更
【補正の内容】
【００１５】
さらに、上記課題を達成するために、請求項１０に記載のディスプレイ用具に係る考案は、請求項６に記載の考案において、外背板に対して内背板を折り曲げて外背板に内背板を重ねて二重壁構造の背板を構成したことを特徴とする
【手続補正６】
【補正対象書類名】明細書
【補正対象項目名】００２２
【補正方法】変更
【補正の内容】
【００２２】
さらに、上記課題を達成するために、請求項１７に記載のディスプレイ用具に係る考案は、背板（１０ａ、１０ｂ）、左右の側板（２０ａ、２０ｂ、２１ａ、２１ｂ）、底板（３０）、前板（４０ａ、４０ｂ）及び棚板（４１、４２）を有するディスプレイ用具であって、１枚のブランク材から背板、左右の側板、底板、前板及び棚板を組み立てたとき、背板、左右の側板、底板及び前板が二重壁構造を形成し且つ背板及び左右の側板は貼着した二重壁構造とされ、内背板（１０ｂ）と外背板（１０ａ）との間に背板折込片（１０ｃ）を介在させて内背板（１０ｂ）に差込孔（１１）を形成し、下棚板（４１）及び上棚板（４２）を有する階段状の棚板（４１、４２）を備え、棚部前板（４４ａ、４４ｂ）、上棚板（４２）、棚部背板（４６）及び棚部底板（４７）により四角筒状の構造体（４２、４４ａ、４４ｂ、４６、４７）が構成され、前板を構成する外前板（４０ａ）と内前板（４０ｂ）、内前板（４０ｂ）と下棚板（４１）、下棚板（４１）と構造体（４２、４４ａ、４４ｂ、４６、４７）が連設して形成され、上棚板（４２）の後縁部に差込片（４３）を備え、該差込片（４３）は内背板（１０ｂ）の差込孔（１１）に差し込むように構成され、上棚板（４２）の前縁部に商品の移動を防止する移動防止板（４５）を備える、ことを特徴とする。
【手続補正７】
【補正対象書類名】明細書
【補正対象項目名】００２３
【補正方法】変更
【補正の内容】
【００２３】
さらに、上記課題を達成するために、請求項１８に記載のディスプレイ用具に係る考案は、背板（１０ａ、１０ｂ）、左右の側板（２０ａ、２０ｂ、２１ａ、２１ｂ）、底板（３０）、前板（４０ａ、４０ｂ）及び棚板（４１、４２）を有するディスプレイ用具であって、１枚のブランク材から背板、左右の側板、底板、前板及び棚板を組み立てたとき、背板、左右の側板、底板及び前板が二重壁構造を形成し且つ背板及び左右の側板は貼着した二重壁構造とされ、外背板（１０ａ）に重なるように折り曲げた内背板（１０ｂ）に差込孔（１１ｂ）を形成し、下棚板（４１）及び上棚板（４２）を有する階段状の棚板（４１、４２）を備え、棚部前板（４４ａ、４４ｂ）、上棚板（４２）、棚部背板（４６）及び棚部底板（４７）により四角筒状の構造体（４２、４４ａ、４４ｂ、４６、４７）が構成され、前板を構成する外前板（４０ａ）と内前板（４０ｂ）、内前板（４０ｂ）と下棚板（４１）、下棚板（４１）と構造体（４２、４４ａ、４４ｂ、４６、４７）が連設して形成され、上棚板（４２）の後縁部に差込片（４３）を備え、該差込片（４３）は内背板（１０ｂ）の差込孔（１１ｂ）に差し込むように構成され、上棚板（４２）の前縁部に商品の移動を防止する移動防止板（４５）を備える、ことを特徴とする。
【手続補正８】
【補正対象書類名】明細書
【補正対象項目名】００２４
【補正方法】変更
【補正の内容】
【００２４】
さらに、上記課題を達成するために、請求項１９に記載のディスプレイ用具に係る考案は、背板（１０ａ、１０ｂ）、左右の側板（２０ａ、２０ｂ、２１ａ、２１ｂ）、底板（３０）、前板（４０ａ、４０ｂ）及び棚板（４１、４２）を有するディスプレイ用具であって、１枚のブランク材から背板、左右の側板、底板、前板及び棚板を組み立てたとき、背板、左右の側板、底板及び前板が二重壁構造を形成し且つ背板及び左右の側板は貼着した二重壁構造とされ、外背板（１０ａ）に重なるように内背板（１０ｂ）を折り曲げて、外背板（１０ａ）及び内背板（１０ｂ）の互いに対応する位置に差込孔（１１ａ、１１ｂ）を形成し、下棚板（４１）及び上棚板（４２）を有する階段状の棚板（４１、４２）を備え、棚部前板（４４ａ、４４ｂ）、上棚板（４２）、棚部背板（４６）及び棚部底板（４７）により四角筒状の構造体（４２、４４ａ、４４ｂ、４６、４７）が構成され、前板を構成する外前板（４０ａ）と内前板（４０ｂ）、内前板（４０ｂ）と下棚板（４１）、下棚板（４１）と構造体（４２、４４ａ、４４ｂ、４６、４７）が連設して形成され、上棚板（４２）の後縁部に差込片（４３）を備え、該差込片（４３）は背板（１０ａ、１０ｂ）の差込孔（１１ａ、１１ｂ）に差し込むように構成され、上棚板（４２）の前縁部に商品の移動を防止する移動防止板（４５）を備える、ことを特徴とする。
【手続補正９】
【補正対象書類名】明細書
【補正対象項目名】００２５
【補正方法】変更
【補正の内容】
【００２５】
さらに、上記課題を達成するために、請求項２０に記載のディスプレイ用具に係る考案は、背板（１０ａ、１０ｂ）、左右の側板（２０ａ、２０ｂ、２１ａ、２１ｂ）、底板（３０）、前板（４０ａ、４０ｂ）及び棚板（４１、４２）を有するディスプレイ用具であって、１枚のブランク材から背板、左右の側板、底板、前板及び棚板を組み立てたとき、背板、左右の側板、底板及び前板が二重壁構造を形成し且つ背板及び左右の側板は貼着した二重壁構造とされ、外背板（１０ａ）に対して内背板（１０ｂ）を折り曲げて外背板（１０ａ）に内背板（１０ｂ）を重ねて二重壁構造の背板（１０ａ、１０ｂ）を構成し、下棚板（４１）及び上棚板（４２）を有する階段状の棚板（４１、４２）を備え、棚部前板（４４ａ、４４ｂ）、上棚板（４２）、棚部背板（４６）及び棚部底板（４７）により四角筒状の構造体（４２、４４ａ、４４ｂ、４６、４７）が構成され、前板を構成する外前板（４０ａ）と内前板（４０ｂ）、内前板（４０ａ）と下棚板（４１）、下棚板（４１）と構造体（４２、４４ａ、４４ｂ、４６、４７）が連設して形成され、上棚板（４２）の前縁部に商品の移動を防止する移動防止板（４５）を備える、ことを特徴とする。
【手続補正１０】
【補正対象書類名】明細書
【補正対象項目名】００３３
【補正方法】変更
【補正の内容】
【００３３】
さらに、請求項７記載のディスプレイ用具に係る考案によれば、請求項６の効果に加えて、外背板に対して内背板を折り曲げると共に内背板に対して背板折込片を折り曲げて、外背板と内背板との間に背板折込片を介在させて二重壁構造の背板を構成したので、背板折込片と差込孔を形成した背板を備えたディスプレイ用具の素形材を簡単に成形加工することができる。
【手続補正１１】
【補正対象書類名】明細書
【補正対象項目名】００３４
【補正方法】変更
【補正の内容】
【００３４】
さらに、請求項８記載のディスプレイ用具に係る考案によれば、請求項６の効果に加えて、外背板に対して内背板を折り曲げて外背板に内背板を重ねて外背板と内背板の下部を貼着して二重壁構造の背板を構成したので、差込孔を形成した背板を備えたディスプレイ用具の素形材を簡単に成形加工することができる。
【手続補正１２】
【補正対象書類名】明細書
【補正対象項目名】００３５
【補正方法】変更
【補正の内容】
【００３５】
さらに、請求項９記載のディスプレイ用具に係る考案によれば、請求項６の効果に加えて、外背板に対して内背板を折り曲げて外背板に内背板を重ねて、外背板及び内背板の互いに対応する位置に棚板の差込片を差込む差込孔を形成して二重壁構造の背板を構成したので、差込孔を形成した背板を備えたディスプレイ用具の素形材を簡単に成形加工することができる。
【手続補正１３】
【補正対象書類名】明細書
【補正対象項目名】００３６
【補正方法】変更
【補正の内容】
【００３６】
さらに、請求項１０記載のディスプレイ用具に係る考案によれば、請求項６の効果に加えて、外背板に対して内背板を折り曲げて外背板に内背板を重ねて二重壁構造の背板を構成したので、背板の成形加工を簡素化したディスプレイ用具の素形材を簡単に成形加工することができる。
【手続補正１４】
【補正対象書類名】明細書
【補正対象項目名】００４３
【補正方法】変更
【補正の内容】
【００４３】
さらに、請求項１７記載のディスプレイ用具に係る考案によれば、１枚のブランク材から、背板、左右の側板、底板、前板及び棚板を組み立てたとき、背板、左右の側板、底板及び前板が二重壁構造を形成し且つ背板及び左右の側板は貼着した二重壁構造とすると共に、内背板と外背板との間に背板折込片を介在させて内背板に差込孔を形成した背板の差込孔に差込片を差し込むように構成したので、ディスプレイ用具の全体の剛性が向上して、重量のある商品でも安定させた状態で展示することができる。
【手続補正１５】
【補正対象書類名】明細書
【補正対象項目名】００４４
【補正方法】変更
【補正の内容】
【００４４】
さらに、請求項１８記載のディスプレイ用具に係る考案によれば、１枚のブランク材から、背板、左右の側板、底板、前板及び棚板を組み立てたとき、背板、左右の側板、底板及び前板が二重壁構造を形成し且つ背板及び左右の側板は貼着した二重壁構造とすると共に、外背板に重なるように折り曲げた内背板に差込孔を形成した背板の差込孔に差込片を差し込むように構成したので、ディスプレイ用具の全体の剛性が向上して、重量のある商品でも安定させた状態で展示することができる。
【手続補正１６】
【補正対象書類名】明細書
【補正対象項目名】００４５
【補正方法】変更
【補正の内容】
【００４５】
さらに、請求項１９記載のディスプレイ用具に係る考案によれば、１枚のブランク材から、背板、左右の側板、底板、前板及び棚板を組み立てたとき、背板、左右の側板、底板及び前板が二重壁構造を形成し且つ背板及び左右の側板は貼着した二重壁構造とすると共に、外背板に重なるように内背板を折り曲げて、外背板及び内背板の互いに対応する位置に差込孔を形成した背板の差込孔に差込片を差し込むように構成したので、ディスプレイ用具の全体の剛性が向上して、重量のある商品でも安定させた状態で展示することができる。
【手続補正１７】
【補正対象書類名】明細書
【補正対象項目名】００４６
【補正方法】変更
【補正の内容】
【００４６】
さらに、請求項２０記載のディスプレイ用具に係る考案によれば、１枚のブランク材から、背板、左右の側板、底板、前板及び棚板を組み立てたとき、背板、左右の側板、底板及び前板が二重壁構造を形成し且つ外背板に対して内背板を折り曲げて外背板に内背板を重ねて二重壁構造の背板及び左右の側板は貼着した二重壁構造とされるので、ディスプレイ用具の全体の剛性が向上して、重量のある商品でも安定させた状態で展示することができる。